(57)【要約】  リモートコントローラ（１）は、ユーザインタフェース（１１）と、回転状態検出部（１４）と、制御部（１５）と、を備える。回転状態検出部（１４）は、リモートコントローラ（１）の回転状態を検出する。制御部（１５）は、回転状態検出部（１４）により検出された回転状態に基づいて、異なるユーザ層に応じて予め定められた複数の表示モードの内の１つの表示モードを決定する。そして、制御部（１５）は、決定した表示モードで操作画面をユーザインタフェース（１１）に表示させる。
2016135863.tif 000002
【特許請求の範囲】
【請求項１】
少なくとも１つの機器を制御するリモートコントローラであって、
操作画面を表示する表示部と、
前記リモートコントローラの回転状態を検出する回転状態検出部と、
前記検出された回転状態に基づいて、異なるユーザ層に応じて予め定められた複数の表示モードの内の１つの表示モードを決定し、決定した表示モードで前記操作画面を前記表示部に表示させる表示制御部と、を備える、リモートコントローラ。
【請求項２】
前記リモートコントローラの回転角度と、前記複数の表示モードの各々を対応付けたテーブルを備え、
前記表示制御部は、前記回転状態検出部により検出された回転状態から回転角度を取得し、取得した回転角度に基づいて前記テーブルを参照することで、前記複数の表示モードの内の１つの表示モードを決定する、請求項１に記載のリモートコントローラ。
【請求項３】
前記複数の表示モードには、一般的なユーザを対象とした操作画面を表示するための通常モードと、前記一般的なユーザよりも操作が不得手なユーザを対象とした操作画面を表示するための簡単モードとが含まれる、請求項１又は２に記載のリモートコントローラ。
【請求項４】
前記回転状態検出部には、傾きを検出する傾きセンサが含まれる、請求項１から３の何れか１項に記載のリモートコントローラ。
【請求項５】
前記回転状態検出部には、導体と接触することで閉状態となる複数のスイッチが含まれる、請求項１から３の何れか１項に記載のリモートコントローラ。
【請求項６】
前記表示モードが切り替わった際に、音を出力してユーザに報知する報知部をさらに備える、請求項１から５の何れか１項に記載のリモートコントローラ。
【請求項７】
少なくとも１つの機器を制御するリモートコントローラによって実行される操作画面表示方法であって、
前記リモートコントローラの回転状態を検出し、
検出した回転状態に基づいて、異なるユーザ層に応じて予め定められた複数の表示モードの内の１つの表示モードを決定し、
決定した表示モードで操作画面を表示する、操作画面表示方法。
【請求項８】
少なくとも１つの機器を制御するリモートコントローラを、
前記リモートコントローラの回転状態を検出する回転状態検出部から前記回転状態を取得し、取得した回転状態に基づいて、異なるユーザ層に応じて予め定められた複数の表示モードの内の１つの表示モードを決定し、決定した表示モードで操作画面を表示部に表示させる表示制御部、として機能させる、プログラム。
【発明の詳細な説明】
【技術分野】
【０００１】
本発明は、空調機や照明器等の機器を制御するためのリモートコントローラに関する。
【背景技術】
【０００２】
空調機や照明器等の機器を操作するためのリモートコントローラにおいては、液晶画面により、現在の設定状態等の情報を表示してユーザに提示するのが一般的である。この場合、表示される情報（文字や図形等）のサイズは、各リモートコントローラにおいて、一般的な操作を不自由なく行えるユーザをターゲットにした大きさ、即ち、かかるユーザが認識可能な大きさに固定されているのが通常である。【０００３】
しかしながら、上記のように表示される情報のサイズが、特定のユーザ層が操作可能な大きさに固定されている場合、高齢者等では、表示内容を認識しにくく、使いづらいという問題もある。【０００４】
この問題に対し、例えば、特許文献１には、表示する内容を基準の大きさよりも拡大して表示させるための専用のスイッチ（拡大スイッチ、表示切換スイッチ）を設けたリモートコントロール装置が開示されている。また、特許文献１には、このような専用のスイッチを設けず、「運転切換」スイッチや「温度調節」スイッチ等の操作スイッチを一定時間押し続けることで拡大表示できる構成についても開示されている。
【先行技術文献】
【特許文献】
【０００５】
【特許文献１】特開２００３−３４３９０２号公報
【発明の概要】
【発明が解決しようとする課題】
【０００６】
しかしながら、特許文献１に開示される技術では、ユーザは、先ず、複数設けられたスイッチの中から、拡大スイッチ等の専用のスイッチあるいは、拡大表示の対象となる操作スイッチを選別する必要があるため、高齢者等のユーザ（即ち、視覚が弱いユーザ、操作が不得手なユーザ）にとっては、簡単な操作とは言い難い。【０００７】
本発明は、上記課題を解決するためになされたものであり、ユーザが、簡単な操作により、所望の表示モードで操作画面を表示させることのできるリモートコントローラ等を提供することを目的とする。
【課題を解決するための手段】
【０００８】
上記目的を達成するため、本発明に係るリモートコントローラは、
少なくとも１つの機器を制御するリモートコントローラであって、
操作画面を表示する表示部と、
前記リモートコントローラの回転状態を検出する回転状態検出部と、
前記検出された回転状態に基づいて、異なるユーザ層に応じて予め定められた複数の表示モードの内の１つの表示モードを決定し、決定した表示モードで前記操作画面を前記表示部に表示させる表示制御部と、を備える。
【発明の効果】
【０００９】
本発明によれば、ユーザは、リモートコントローラを回転させることで、所望の表示モードで操作画面を表示させることが可能になる。
【図面の簡単な説明】
【００１０】
【図１】本発明の実施形態１に係るリモートコントローラを備えた空調システムを示す図である。
【図２】実施形態１のリモートコントローラを取り付けるためのフックを示す図である。
【図３】実施形態１のリモートコントローラの外観（後面側）を示す図である。
【図４】実施形態１のリモートコントローラの構成を示すブロック図である。
【図５】実施形態１のリモートコントローラの外観（前面側）を示す図である。
【図６】回転角度−表示モード対応テーブルの一例を示す図である。
【図７】実施形態１のリモートコントローラが備える制御部の機能構成を示す図である。
【図８】通常モードにおける操作画面の一例を示す図である。
【図９】簡単モード１における操作画面の一例を示す図である。
【図１０】簡単モード２における操作画面の一例を示す図である。
【図１１】実施形態１のリモートコントローラが実行する操作画面表示処理の手順を示すフローチャートである。
【図１２】本発明の実施形態２に係るリモートコントローラの支持について説明するための図である。
【図１３】実施形態２のリモートコントローラの外観（後面側）を示す図である。
【図１４】実施形態２において、支持台の表面を示す図である。
【発明を実施するための形態】
【００１１】
以下、本発明の実施形態について図面を参照して詳細に説明する。
【００１２】
（実施形態１）
図１は、実施形態１に係るリモートコントローラ１を備えた空調システムを示す図である。この空調システムは、リモートコントローラ１と、一般家庭における住居やビル等の建物内に設置され、リモートコントローラ１からの制御指令に基づき、空気状態（温度や湿度など）の調節を行う空調機２とを備える。
【００１３】
リモートコントローラ１は、建物内の壁に設けられた、図２に示すフック３に掛けるようにして取り付けられる。リモートコントローラ１の後面は、矩形状になっており、図３に示すように、上側、向かって右側及び下側の各辺（各縁）に沿うようにしてフック受け部１０ａ，１０ｂ，１０ｃが形成されている。
【００１４】
リモートコントローラ１は、図４に示すように、ユーザインタフェース１１と、通信部１２と、データ記憶部１３と、回転状態検出部１４と、制御部１５と、を備える。これらの構成部は、バス１６を介して相互に接続される。
【００１５】
ユーザインタフェース１１は、図５に示すように、リモートコントローラ１の前面に設けられており、タッチパネル、タッチパッド等の操作入力部と、液晶ディスプレイ等の表示部とを含んで構成される。ユーザインタフェース１１は、制御部１５からの指示に応じて、ユーザ操作用の画面（操作画面）等を表示する。また、ユーザインタフェース１１は、ユーザからの入力操作を受け付け、受け付けた入力操作に応じた信号を制御部１５に出力する。
【００１６】
通信部１２は、予め定めた無線通信インタフェースを備え、制御部１５の制御の下、空調機２と予め定めた無線通信方式に則ったデータ通信を行う。データ記憶部１３は、フラッシュメモリ等の読み書き可能な不揮発性の半導体メモリ等から構成され、操作画面の表示を制御するためのプログラム（表示制御プログラム）、空調機２を制御するためのプログラム（空調制御プログラム）やこれらのプログラムの実行時に使用されるデータ等を記憶する。データ記憶部１３は、表示制御プログラムの実行時に使用されるデータの１つとして、回転角度−表示モード対応テーブル１３０を記憶する。
【００１７】
回転角度−表示モード対応テーブル１３０は、制御部１５が表示モードを決定する際に参照するデータテーブルである。回転角度−表示モード対応テーブル１３０には、リモートコントローラ１の回転角度と、表示モードの種別が対応付けられて設定されている。ここで、リモートコントローラ１の回転角度とは、予め定めた基本位置からの右回り方向における回転角度をいう。
【００１８】
基本位置とは、図５に示すように、リモートコントローラ１が取り付けられた状態において、前面側に付されたマーク１７が上方になる位置をいう。なお、基本位置では、リモートコントローラ１は、フック３にフック受け部１０ａが引っ掛けられた状態で取り付けられる。
【００１９】
表示モードは、異なるユーザ層に応じて予め定められており、本実施形態では、通常モード、簡単モード１及び簡単モード２の３つの種別がある。そして、回転角度−表示モード対応テーブル１３０において、図６に示すように、回転角度が０°（即ち、基本位置）には、通常モードが、回転角度が９０°には、簡単モード１が、回転角度が１８０°には、簡単モード２が、それぞれ対応付けられている。
【００２０】
即ち、フック受け部１０ａをフック３に引っ掛けた基本位置では、リモートコントローラ１の表示モードは、通常モードであり、基本位置から９０°右回りで回転させた位置、即ち、フック受け部１０ｂをフック３に引っ掛けた位置では、表示モードは、簡単モード１となる。そして、基本位置から１８０°右回りで回転させた位置、即ち、フック受け部１０ｃをフック３に引っ掛けた位置では、表示モードは、簡単モード２となる。なお、基本位置から９０°右回りで回転させた位置とは、基本位置から２７０°左回りで回転させた位置と同一であることを意味する。同様に、基本位置から１８０°右回りで回転させた位置とは、基本位置から１８０°左回りで回転させた位置と同一であることを意味する。
【００２１】
回転状態検出部１４は、リモートコントローラ１の回転状態を検出し、検出した回転状態を示す値（回転状態値）を制御部１５に出力する。本実施形態では、回転状態検出部１４は、傾きセンサであり、上記の基本位置を基準とした傾きを検出する。
【００２２】
制御部１５は、ＣＰＵ（Central Processing Unit）、ＲＯＭ（Read Only Memory）、ＲＡＭ（Random Access Memory）等（何れも図示せず）を含んで構成され、リモートコントローラ１を統括制御する。図７に示すように、制御部１５は、機能的には、機器制御部１５０と、表示制御部１５１とを備える。これらの構成部の機能は、ＣＰＵ等が、データ記憶部１３にそれぞれ記憶されている空調制御プログラムや表示制御プログラムを実行することで実現される。
【００２３】
機器制御部１５０は、空調機用の一般的なリモートコントローラが備える機能に係る処理を実行する。即ち、機器制御部１５０は、ユーザインタフェース１１が、空調の設定に関するユーザ操作（空調操作）を受け付けると、受け付けた空調操作の内容に基づいて、空調機２の運転を制御する。
【００２４】
表示制御部１５１は、リモートコントローラ１の回転状態に基づいて、複数の表示モード（通常モード、簡単モード１、簡単モード２）の内の１つの表示モードを決定し、決定した表示モードで操作画面をユーザインタフェース１１が備える液晶ディスプレイ等の表示デバイスに表示させる。操作画面には、室内温度等の空調に関する情報やＧＵＩ（graphical user interface）ボタンである操作ボタンとが含まれる。
【００２５】
より詳細には、表示制御部１５１は、一定時間毎に回転状態検出部１４に対して、検出結果の問合せを行うことで、リモートコントローラ１の回転状態を取得する。そして、予め定められた換算式により、リモートコントローラ１の回転角度を算出して取得する。なお、表示制御部１５１は、予めＲＯＭあるいはデータ記憶部１３に保存されている、回転状態検出部１４からの回転状態値と、回転角度との対応関係が設定されたテーブルを用いて、リモートコントローラ１の回転角度を取得してもよい。
【００２６】
回転角度を取得すると、表示制御部１５１は、回転角度−表示モード対応テーブル１３０を参照して、取得した回転角度に対応する表示モードを決定する。そして、表示制御部１５１は、決定した表示モードに応じた内容の操作画面をユーザインタフェース１１の表示部に表示させる。
【００２７】
ここで、表示モードと操作画面の内容との関係について説明する。表示モードが通常モードの場合、この種のリモートコントローラにおける一般的な操作を不自由なく行えるユーザ層を想定した内容の操作画面（例えば、図８）が表示される。表示モードが簡単モード１の場合、年配者や子供等、操作が若干不得手なユーザ層を想定した内容の操作画面が表示される。図９に示すように、簡単モード１では、通常モードに比べ、ＧＵＩボタンが大きく表示され、視認しやすくなる。また、その分の表示領域を確保するため、表示するＧＵＩボタンを頻繁に使用されるものに絞り、詳細な設定等を行うための一部のＧＵＩボタンが省かれている。さらに、図示はしないが、各ＧＵＩボタンにおけるユーザによるタッチ操作の検出範囲（許容範囲）も、通常モードより大きくなっている。
【００２８】
表示モードが簡単モード２の場合、高齢者や視力の弱いユーザ層を想定した内容の操作画面が表示される。図１０に示すように、簡単モード２では、簡単モード１に比べ、さらにＧＵＩボタンが大きく表示される。また、各ＧＵＩボタンにおけるユーザによるタッチ操作の検出範囲も、簡単モード１より大きくなっている。このため、簡単モード２では、必要最低限の操作をするためのＧＵＩボタンに絞って表示される。
【００２９】
図１１は、制御部１５により実行される操作画面表示処理の手順を示すフローチャートである。この操作画面表示処理は、リモートコントローラ１の電源がオンになると開始される。
【００３０】
制御部１５の表示制御部１５１は、初期設定として、回転状態検出部１４による前回の回転状態値として、初期値を設定する（ステップＳ１０１）。ここでの初期値は、回転状態検出部１４から出力される回転状態値の範囲外の値に予め定められている。
【００３１】
表示制御部１５１は、回転状態検出部１４からリモートコントローラ１の回転状態を取得する（ステップＳ１０２）。具体的には、表示制御部１５１は、回転状態検出部１４に対して、検出結果の問合せを行う。かかる問合せに応答して回転状態検出部１４は、検出した回転状態を示す値（回転状態値）を制御部１５に出力する。
【００３２】
表示制御部１５１は、前回の回転状態値と今回取得した回転状態値とを比較し、変化があるか否かを判別する（ステップＳ１０３）。
【００３３】
回転状態値に変化がない場合（ステップＳ１０３；ＮＯ）、表示制御部１５１は、一定時間（例えば、１〜２秒）、処理の実行を待機する。そして、一定時間が経過すると（ステップ１０７；ＹＥＳ）、表示制御部１５１は、再度、ステップＳ１０２の処理を行う。
【００３４】
一方、回転状態値に変化がある場合（ステップＳ１０３；ＹＥＳ）、表示制御部１５１は、前述したようにして、リモートコントローラ１の回転角度を取得する（ステップＳ１０４）。そして、表示制御部１５１は、回転角度−表示モード対応テーブル１３０を参照して表示モードを決定し（ステップＳ１０５）、決定した表示モードで操作画面を表示する（ステップＳ１０６）。その後、表示制御部１５１は、一定時間、処理の実行を待機し（ステップ１０７；ＮＯ）、一定時間が経過すると（ステップ１０７；ＹＥＳ）、再度、ステップＳ１０２の処理を行う。
【００３５】
以上のように、本発明の実施形態１に係るリモートコントローラ１では、ユーザは、リモートコントローラ１に設けられたスイッチやＧＵＩボタン等を操作することなく、当該リモートコントローラ１全体を回転させるだけで、表示モードを切り替えることが可能となる。このため、操作が不得手なユーザや高齢のユーザであっても、操作画面を当該ユーザが操作しやすい態様で表示させることが容易となる。
【００３６】
なお、上記の操作画面表示処理において、表示制御部１５１により、一定時間毎に回転状態検出部１４に対して、検出結果の問合せが行われるのではなく、回転状態検出部１４が、回転状態（ここでは、傾きの変化）を検出した場合に、その旨を示すイベントを発生するようにしてもよい。この場合、表示制御部１５１は、かかるイベントを検出すると、回転状態検出部１４による検出結果（回転状態値）を取得する。
【００３７】
また、フック３を用いず、リモートコントローラ１を面ファスナー、繰り返し脱着可能な粘着材や磁石を用いて、壁や壁に設けた台等に取り付けるようにしてもよい。
【００３８】
あるいは、壁に、リモートコントローラ１の形状に合わせた枠を設け、かかる枠に差し込むことでリモートコントローラ１が支持されるようにしてもよい。
【００３９】
（実施形態２）
続いて、本発明の実施形態２について説明する。なお、以下の説明において、実施形態１と共通する構成要素等については、同一の符号を付し、その説明を省略する。
【００４０】
本実施形態のリモートコントローラ１には、図１２に示すように、挿入軸１８が設けられている。また、壁には、リモートコントローラ１を支持するための専用の支持台４が取り付けられている。リモートコントローラ１は、挿入軸１８が支持台４に形成された挿入孔４０に挿入されることで、支持台４に回転可能に軸支される。
【００４１】
実施形態１のリモートコントローラ１では、リモートコントローラ１の回転状態を検出する回転状態検出部１４は、傾きセンサであったが、本実施形態のリモートコントローラ１では、図１３に示すように、リモートコントローラ１の後面に設けられた３つのスイッチ１４０ａ，１４０ｂ，１４０ｃによって構成される。スイッチ１４０ａ，１４０ｂ，１４０ｃは、通常時において開状態である、いわゆるＡ接点のスイッチである。
【００４２】
スイッチ１４０ａは、端子１４１ａ，１４２ａを有し、実施形態１におけるフック受け部１０ａと同様、リモートコントローラ１の後面における上側に設けられている。スイッチ１４０ｂは、端子１４１ｂ，１４２ｂを有し、実施形態１におけるフック受け部１０ｂと同様、リモートコントローラ１の後面における向かって右側に設けられている。スイッチ１４０ｃは、端子１４１ｃ，１４２ｃを有し、実施形態１におけるフック受け部１０ｃと同様、リモートコントローラ１の後面における下側に設けられている。
【００４３】
支持台４の表面には、図１４に示すように、導体４１が形成されている。このため、スイッチ１４０ａ，１４０ｂ，１４０ｃの何れかが、導体４１と接触すると、当該スイッチ１４０は閉状態となる。
【００４４】
本実施形態においても、実施形態１と同様、表示モードは、通常モード、簡単モード１及び簡単モード２の３つの種別があり、基本位置では、リモートコントローラ１の表示モードは、通常モードである。基本位置では、リモートコントローラ１が支持台４に軸支された状態において、前面側に付されたマーク１７が上方になる。この場合、スイッチ１４０ａが閉状態となる。
【００４５】
基本位置から９０°右回りで回転させた位置、即ち、スイッチ１４０ｂが閉状態となる位置では、表示モードは、簡単モード１となる。そして、基本位置から１８０°右回りで回転させた位置、即ち、スイッチ１４０ｃが閉状態となる位置では、表示モードは、簡単モード２となる。
【００４６】
表示制御部１５１は、一定時間（例えば、１〜２秒）毎にスイッチ１４０ａ，１４０ｂ，１４０ｃの何れが閉状態であるかを判別する。そして、閉状態であるスイッチ１４０に対応する回転角度を取得する。なお、各スイッチ１４０と回転角度との対応関係を示すテーブルは、予めデータ記憶部１３に記憶されている。
【００４７】
回転角度を取得すると、表示制御部１５１は、回転角度−表示モード対応テーブル１３０を参照して、取得した回転角度に対応する表示モードを決定する。そして、表示制御部１５１は、決定した表示モードに応じた内容の操作画面をユーザインタフェース１１の液晶ディスプレイ等に表示させる。
【００４８】
以上のように、本発明の実施形態２に係るリモートコントローラ１においても、実施形態１のリモートコントローラ１と同様、ユーザは、リモートコントローラ１に設けられたスイッチやＧＵＩボタン等を操作することなく、当該リモートコントローラ１全体を回転させるだけで、表示モードを切り替えることが可能となる。このため、操作が不得手なユーザや高齢のユーザであっても、操作画面を当該ユーザが操作しやすい態様で表示させることが容易となる。
【００４９】
なお、リモートコントローラ１に挿入軸１８を設けずに、支持台４にリモートコントローラ１の形状に合わせた枠を設け、かかる枠に差し込むことでリモートコントローラ１が支持されるようにしてもよい。
【００５０】
本発明は、上記の各実施形態に限定されず、本発明の要旨を逸脱しない範囲での種々の変更は勿論可能である。
【００５１】
例えば、上記各実施形態では、リモートコントローラ１と空調機２との間の通信が無線により行われていたが、双方を通信線を介して接続し、有線により相互に通信が行われる構成にしてもよい。
【００５２】
また、リモートコントローラ１による制御対象となる機器は、空調機に限定されず、照明器であってもよいし、他の様々な家電機器や設備機器であってもよい。
【００５３】
また、リモートコントローラ１によって複数の機器が制御されるようにしてもよい。この場合、複数の機器に同一の制御を同時に行うようにしてもよいし、制御対象を個別あるいはグループ単位で選択できるようにしてもよい。また、空調機と照明器など、異なる種別の機器が含まれていてもよい。
【００５４】
また、表示モードの種別数に限定はなく、２つでも４以上であってもよい。
【００５５】
また、回転角度と表示モードとの対応は任意の設計事項であり、例えば、基本位置から右回りに４５°ずつに表示モードが切り替わるようにしてもよい。さらに、回転角度−表示モード対応テーブル１３０をユーザインタフェース１１を介して、ユーザが適宜編集できるようにしてもよい。
【００５６】
また、リモートコントローラ１の外観（前面及び後面）において、矩形状ではなく、５角形以上の多角形状や円形状にしてもよいし、ユーザインタフェース１１（表示部）を５角形以上の多角形状や円形状にしてもよい。
【００５７】
また、表示モードによって、明度やコントラストの強弱を変更してもよい。この場合、通常モードの操作画面より簡単モード１の操作画面の明度及び／又はコントラストを強くし、簡単モード１の操作画面より簡単モード２の操作画面の明度及び／又はコントラストを強くする。
【００５８】
また、リモートコントローラ１は、表示モードが切り替わった際に、ビープ音等の電子音や音声を出力して、ユーザに報知する報知部を備えるようにしてもよい。さらに、その際、音の高低、出力時間や出力間隔、メッセージの内容を変化させる等して、表示モードの種別が区別できるように出力してもよい。
【００５９】
また、実施形態１においても、実施形態２と同様、リモートコントローラ１に挿入軸１８を設け（図１２参照）、壁に設置した支持台４に回転可能に軸支されるようにしてもよい。
【００６０】
上記のように、リモートコントローラ１が支持台４に回転可能に軸支される構成を採用する場合、リモートコントローラ１が特定の回転位置で半固定（半ロック）状態となるようなラッチ機構を設けてもよい。この場合、例えば、基本位置、基本位置から９０°右回りで回転させた位置（即ち、左回りで２７０°回転させた位置）、基本位置から１８０°右回り又は左回りで回転させた位置のそれぞれで、リモートコントローラ１が半固定（半ロック）状態となるようにすればよい。
【００６１】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【００６２】
本発明は、家電機器や設備機器などを操作するためのリモートコントローラに好適に採用され得る。
【符号の説明】
【００６３】
１  リモートコントローラ、２  空調機、３  フック、４  支持台、１０ａ，１０ｂ，１０ｃ  フック受け部、１１  ユーザインタフェース、１２  通信部、１３  データ記憶部、１４  回転状態検出部、１５  制御部、１６  バス、１７  マーク、１８  挿入軸、４０  挿入孔、４１  導体、１３０  回転角度−表示モード対応テーブル、１４０ａ，１４０ｂ，１４０ｃ  スイッチ、１４１ａ，１４１ｂ，１４１ｃ，１４２ａ，１４２ｂ，１４２ｃ  端子、１５０  機器制御部、１５１  表示制御部
【図１】
2016135863.tif 000003
【図２】
2016135863.tif 000004
【図３】
2016135863.tif 000005
【図４】
2016135863.tif 000006
【図５】
2016135863.tif 000007
【図６】
2016135863.tif 000008
【図７】
2016135863.tif 000009
【図８】
2016135863.tif 000010
【図９】
2016135863.tif 000011
【図１０】
2016135863.tif 000012
【図１１】
2016135863.tif 000013
【図１２】
2016135863.tif 000014
【図１３】
2016135863.tif 000015
【図１４】
2016135863.tif 000016
【手続補正書】
【提出日】平成29年5月25日(2017.5.25)
【手続補正１】
【補正対象書類名】明細書
【補正対象項目名】０００８
【補正方法】変更
【補正の内容】
【０００８】
上記目的を達成するため、本発明に係るリモートコントローラは、
少なくとも１つの機器を制御するリモートコントローラであって、
操作画面を表示する表示部と、
前記リモートコントローラの回転状態を検出する回転状態検出部と、
前記検出された回転状態に基づいて、異なるユーザ層に応じて予め定められた複数の表示モードの内の１つの表示モードを決定し、決定した表示モードで前記操作画面を前記表示部に表示させる表示制御部と、を備え、
前記複数の表示モードには、一般的なユーザを対象とした操作画面を表示するための通常モードと、前記一般的なユーザよりも操作が不得手なユーザを対象とした操作画面を表示するための簡単モードとが含まれる。
【手続補正２】
【補正対象書類名】特許請求の範囲
【補正対象項目名】全文
【補正方法】変更
【補正の内容】
【特許請求の範囲】
【請求項１】
少なくとも１つの機器を制御するリモートコントローラであって、
操作画面を表示する表示部と、
前記リモートコントローラの回転状態を検出する回転状態検出部と、
前記検出された回転状態に基づいて、異なるユーザ層に応じて予め定められた複数の表示モードの内の１つの表示モードを決定し、決定した表示モードで前記操作画面を前記表示部に表示させる表示制御部と、を備え、
前記複数の表示モードには、一般的なユーザを対象とした操作画面を表示するための通常モードと、前記一般的なユーザよりも操作が不得手なユーザを対象とした操作画面を表示するための簡単モードとが含まれる、リモートコントローラ。
【請求項２】
前記回転状態検出部には、傾きを検出する傾きセンサが含まれる、請求項１に記載のリモートコントローラ。
【請求項３】
少なくとも１つの機器を制御するリモートコントローラであって、
操作画面を表示する表示部と、
導体と接触することで閉状態となる複数のスイッチを含み、前記リモートコントローラの回転状態を検出する回転状態検出部と、
前記検出された回転状態に基づいて、異なるユーザ層に応じて予め定められた複数の表示モードの内の１つの表示モードを決定し、決定した表示モードで前記操作画面を前記表示部に表示させる表示制御部と、を備える、リモートコントローラ。
【請求項４】
前記リモートコントローラの回転角度と、前記複数の表示モードの各々を対応付けたテーブルを備え、
前記表示制御部は、前記回転状態検出部により検出された回転状態から回転角度を取得し、取得した回転角度に基づいて前記テーブルを参照することで、前記複数の表示モードの内の１つの表示モードを決定する、請求項１から３の何れか１項に記載のリモートコントローラ。
【請求項５】
前記表示モードが切り替わった際に、音を出力してユーザに報知する報知部をさらに備える、請求項１から４の何れか１項に記載のリモートコントローラ。
【請求項６】
少なくとも１つの機器を制御するリモートコントローラによって実行される操作画面表示方法であって、
前記リモートコントローラの回転状態を検出し、
検出した回転状態に基づいて、異なるユーザ層に応じて予め定められた複数の表示モードの内の１つの表示モードを決定し、
決定した表示モードで操作画面を表示し、
前記複数の表示モードには、一般的なユーザを対象とした操作画面を表示するための通常モードと、前記一般的なユーザよりも操作が不得手なユーザを対象とした操作画面を表示するための簡単モードとが含まれる、操作画面表示方法。
【請求項７】
少なくとも１つの機器を制御するリモートコントローラを、
前記リモートコントローラの回転状態を検出する回転状態検出部から前記回転状態を取得し、取得した回転状態に基づいて、異なるユーザ層に応じて予め定められた複数の表示モードの内の１つの表示モードを決定し、決定した表示モードで操作画面を表示部に表示させる表示制御部、として機能させ、
前記複数の表示モードには、一般的なユーザを対象とした操作画面を表示するための通常モードと、前記一般的なユーザよりも操作が不得手なユーザを対象とした操作画面を表示するための簡単モードとが含まれる、プログラム。
【国際調査報告】
2016135863.tif 000017
2016135863.tif 000018
2016135863.tif 000019
2016135863.tif 000020